(57)【要約】  【目的】  インキがボールホルダーの先端開口部の外側の縁に付着・堆積することが抑制できるボールペンチップを供給する。  【構成】  ボールを突出する先端開口部の内縁が外側に向かって拡径しており、その拡径によって形成される角度が６０°以上１１０°以下であると共に、前記拡径部分の軸線に垂直な方向の肉厚が０．０２ｍｍ以上で構成されるボールペンチップ。【選択図】    図２
2006281620.tif 000002
【特許請求の範囲】
【請求項１】
前後端に連通して開口するインキ通路である内孔の先端開口部から、筆記部材としてのボールを一部突出して回転自在に抱持してなるボールペンチップにおいて、ボールを突出する先端開口部の内縁が外側に向かって拡径しており、その拡径によって形成される角度が６０°以上１１０°以下であると共に、前記拡径部分の軸線に垂直な方向の内縁の肉厚が０．０２ｍｍ以上であるボールペンチップ。
【発明の詳細な説明】
【技術分野】
【０００１】
前後端に連通して開口するインキ通路である内孔の先端開口部から、筆記部材としてのボールを一部突出して回転自在に抱持してなるボールペンチップに関する。
【背景技術】
【０００２】
ボールペンは、基本的に、インキ収容部内のインキをボールペンチップ内に連通し、ボールホルダーの先端開口部内に抱持されたボールにインキを付着させ、このボールが被筆記面に押しつけられながら移動することによって回転する際に被筆記面に転写することで筆跡を形成するものでもある。しかしながら、ボールに付着しているインキのすべてが被筆記面に転写されているわけではなく、ボールの回転軸に相当する部分のインキは被筆記面に転写されないインキもあり、このようなインキがボールホルダーの先端開口部の外側の縁に付着・堆積する問題があった。このインキの付着・堆積は、例えば外観が悪化しボールペンを使用する際に、不快感を得るだけでなく、手や衣類を汚してしまうこともあり問題であった。
【０００３】
また、ボールペンを使用する際にはボールペンを傾斜させた状態で把持し筆記しているが、このボールペンの傾斜角度は使用者によって様々であり、特にボールペンの傾斜角度（被筆記面とボールペンとのなす角度）をより小さくして筆記した場合には、ボールホルダーの軸心線から大きくずれた位置にボールが移動してしまい、ボールと先端開口部間の隙間が小さくなることにより、筆記面に転写されないインキがボールの回転と共に先端開口部内に戻りにくく、ボールホルダーの先端開口部の外側の縁に付着・堆積してしまうことがあった。
【０００４】
これらの問題を解決すべく、特開平０９−１６９１８８号公報に記載の発明では、かしめ部の角度をボールホルダーの軸線に対して４５°〜５０°に形成することによって、ボールホルダーの開口部とボールとの隙間部を大きくし、ボテを解消し、且つインキ追従性も良好なボールペンが開示されている（特許文献１参照）。また、特開昭６３−２５２７９９号公報に記載の発明では、ボールホルダーの開口部近傍を小径にかしめて抜け止めした後に、ボールを内方突部に押し付けることでボール受座部を形成し、ボールホルダーの開口部とボールとの間に比較的大きな隙間部を設けることによって、被筆記面に転写されなかったインキをボールホルダー内に戻し、ボテを解消したボールペンが開示されている。（特許文献２参照）。更に、特開昭５３−５１０２４号公報に記載の発明では、筆記ボール狭持域の前端に余分の筆記液を掻取るための掻取縁を設け、その狭持域がアンダーカツト状に且つ平面状に筆記先端に成形されている筆記先端部が開示されている（特許文献３参照）。
【特許文献１】特開平０９−１６９１８８号公報
【特許文献２】特開昭６３−２５２７９９号公報
【特許文献３】特開昭５３−０５１０２４号公報
【発明の開示】
【発明が解決しようとする課題】
【０００５】
特許文献１に記載の発明のように、かしめ角度を指定して、ボールホルダーの先端開口部とボールとの隙間を大きくしたり、特許文献２に記載の発明のように、ボールホルダーの先端開口部近傍を小径にかしめてボールを抜け止めした後にボールを内方突部に押し付けることによってボール受座部を形成してボールホルダーの先端開口部とボールとの間に大きな隙間を設けた場合でも、ボールがボールホルダーの軸心線から大きくずれた位置に移動してしまった場合には、ボールと先端開口部間の隙間が小さくなることにより、筆記面に転写されないインキがボールの回転と共に先端開口部内に戻りにくく、ボールホルダーの先端開口部の外側の縁に付着・堆積してしまうことがあった。また、特許文献３に記載の発明のように、筆記ボール狭持域の前端に余分の筆記液を掻取るための掻取縁をただ単に設けただけでは、被筆記面に転写されなかったインキが前記掻取縁近傍にインキが蓄積するものの、前記のようにボールがボールホルダーの軸心線から大きくずれた位置にボールが移動した場合は、非筆記面に転写されないインキがボールの回転と共に先端開口部内に戻りにくいこともあり、インキが前記掻取部近傍から溢れてしまい、ボールホルダーの開口部の外側の縁に付着・堆積することがあった。
【課題を解決するための手段】
【０００６】
本発明は、前後端に連通して開口するインキ通路である内孔の先端開口部から、筆記部材としてのボールを一部突出して回転自在に抱持してなるボールペンチップにおいて、ボールを突出する先端開口部の内縁が外側に向かって拡径しており、その拡径によって形成される角度が６０°以上１１０°以下であると共に、前記拡径部分の軸線に垂直な方向の内縁の肉厚が０．０２ｍｍ以上であるボールペンチップを要旨とするものである。
【発明の効果】
【０００７】
ボールが抱持されている先端開口部の内縁が外側に向かって拡径しており、その拡径によって形成される角度が６０°以上１１０°以下の角度とし、かつ前記拡径部分の軸線に垂直な方向の肉厚が０．０２ｍｍ以上であることで、前記内縁の近傍に蓄積した被筆記面に転写されないインキが、溢れ出してボールホルダーの開口部の外側の縁に付着・堆積することが抑制され、更に前記内縁が先端開口部の外側に向かって拡径しているためボールの回転と共に先端開口部内に戻りやすくなり、ボールホルダーの開口縁の外側に付着・堆積するインキが抑制される。
【発明を実施するための最良の形態】
【０００８】
以下図面に基づいて説明する。図１に示したものは本発明に係るボールペンチップを先端に配置したボールペンリフィル形態の一例である。ボールペンチップは、筆記部材として超硬合金やセラミックスなどからなるボール１を一部臨出した状態で回転自在に抱持したステンレスや真鍮、洋白などの金属からなるボールホルダー２とからなり、その後部にインキ収容部３を直接接続している。尚、径の違いの調整などで必要な場合には、インキ収容部３とボールホルダー２との間に１つまたは複数の接続部品を介しても良い。更に、インキ収容部３に充填されたインキ４の後部には、インキ収容部３後部よりインキの漏れ出しを防止するスポンジ５を設置している。ここで、スポンジ５を配置しなくてもよく、インキ４の減少に伴い前進するフォロアー体（図示せず）を設置しても良い。少なくともボールペンチップとインキ収容部３とインキ４とで構成されるリフィルを、外装体（図示せず）となるものの中に装備し、インキ４が無くなるなどして筆記ができなくなった際には、このリフィルを交換すればまた筆記具として使用できる形態としている。尚、外装体にはインキ４の色が異なるリフィルや、ボール１の径が異なるリフィルを複数本装備するものであっても良い。更に、外装体を複数の様々な材質の部品で構成したり、ペン先をキャップで保護したり、筆記具の後端を押圧することでペン先の出没を可能としたりすることなどは適宜であり、また、インキ収容部３は、それ自体を把持するものとすれば外装体を設けなくても良い。インキ収容部３を形成する材料としては、本例ではポリプロピレン樹脂の使用を想定しているが、ポリアミド樹脂や、ポリブチレンテレフタレート、ポリブチレンナフタレート、ポリエチレンナフタレート、塩化ビニル樹脂、エチレンビニルアルコール共重合体、ポリアクリロニトリル、フッ素樹脂、ポリアセタール樹脂、ポリエチレン、ポリエチレンテレフタレート、ポリカーボネート樹脂、ポリスチレン樹脂、ＡＢＳ樹脂などの他の樹脂やステンレス等の金属を使用しても良い。また、インキ収容部３の形状は筒抜け状ではなく有底筒状の容器を使用しても良い。
【０００９】
図２に図１のＡ部拡大縦断面図を示す。ボールホルダー２には、前後端に連通して開口するインキ通路２ａが形成されており、このインキ通路２ａの図中上方には先端開口部２ｂが形成され、その内部にボール１がボールホルダー２より一部突出された状態で、回転自在に抱持されている。先端開口部２ｂの先端には内縁２ｃが形成されており、その内縁２ｃをボール１側に、且つボール１の直径よりも縮径にする、所謂かしめ加工によってボール１が抱持されている。ここで、そのかしめ加工後の前記内縁２ｃが先端開口部２ｂの内方から外側に向かって形成される内縁の拡径角度αが６０°以上１１０°以下の範囲内の角度で形成されている。この角度が６０°より小さくなってしまっては、前記先端開口部の内壁面におけるボールを抜け止めする部分の面積が比較的小さくなってしまい、落下等の衝撃によってボールが抜けやすくなってしまう。これに対して、前記ボールを抜け止めする部分の面積を大きくしようとすれば、ボールの突出量が小さくなってしまうため、先端開口部の外面の縁が被筆記面と接触しやすくなり、書き味性が悪化するという新たな問題が発生してしまう。また、前記角度が１１０°より大きくなってしまっては、前記内縁の面が前記先端開口部の外面に向かって拡径するように形成されているものの、この面に沿って被筆記面に転写されないインキがボールの回転と共に前記先端開口部内に戻りにくくなってしまうことで、前記内縁の近傍に蓄積したインキが溢れてしまい、ボールホルダーの開口部の外側の縁に付着・堆積してしまう問題が解消されなくなってしまう。
【００１０】
更に前記拡径部分の軸線に垂直な方向の内縁の肉厚Ｔが０．０２ｍｍ以上になるように形成されている。この内縁の肉厚Ｔの厚さを０．０２ｍｍより小さく形成してしまっては、被筆記面に転写されないインキが前記内縁の近傍に蓄積はするものの、溢れ易くなってしまうためボールホルダーの開口部の外側の縁に付着・堆積してしまい前記問題が解消されなくなってしまう。また前記内縁の肉厚が薄いことで、ボールが抜け止めされているかしめ部の近傍の強度が低下するため、落下等の衝撃によってボールが抜けやすくなってしまう。
【００１１】
また、ボール１の図中下方にはボールホルダー２の中心にボール１を位置させる等の目的でボール受け座部２ｄが形成され、そのボール受け座部２ｄには、ボール１にインキ４を供給する等の目的で放射状溝２ｅが形成されている。ここで、図中放射状溝２ｅはインキ通路２ａと先端開口部２ｂに連通されていない形状を示しているが、この限りではなく連通させても良い。更に、ボール受け座部２ｄ表面にボール１とほぼ同曲率を形成するシート部２ｆを形成させてもよい。そのシート部２ｆの加工方法は、ボール１を前記先端開口部２ｂ内部に挿入し、前記ボール１をボール叩きピン７によって垂直に叩くことで形成させてもいいし、直接ボールホルダー２の底部を叩くことで形成しても良い。
【実施例】
【００１２】
前記内縁２ｃの角度αと前記内縁の肉厚Ｔを種々作成し表１に示す。そのボールペンチップを図１に示したリフィルの形態（ぺんてる株式会社製の「Ｒｏｌｌｙ」製品符号：ＢＰ１０７−Ａ、試験に使用したインキ：前記製品黒色インキ）に組立て、筆記試験サンプルを作製した。この筆記試験サンプルにて、自動筆記機である精機工業社製  ＰＥＮ  ＷＲＩＴＩＮＧ  ＴＥＳＴＥＲ  ＭＯＤＥＬ  ＰＳ−２により初期から５ｍの筆記試験を行ない、ボール１の先端からボールホルダー２の先端開口部２ｂの外側の縁に付着しながら這い上がるインキの付着長さＬを測定するインキ付着試験を実施した。自動筆記機による筆記条件は、５０゜の筆記角度、筆記荷重１５０ｇ、筆記速度７ｃｍ／ｓｅｃ、ＪＩＳ  Ｓ６０５４に記載の筆記用紙を用いて筆記を行った。尚、インキ付着長さＬの測定は、ボールホルダーの開口部先端、即ち、内縁２ｃの最外径部から前記先端開口部の外側の縁に付着しているインキの末端までの道のりの長さを測定する。
【００１３】
【表１】
2006281620.tif 000003
【図面の簡単な説明】
【００１４】
【図１】ボールペンチップリフィル形態の一例。
【図２】ボールペンチップの拡大縦断面図。
【符号の説明】
【００１５】
１    ボール
２    ボールホルダー
２ａ  インキ流通孔
２ｂ  先端開口部
２ｃ  内縁
２ｄ  ボール受け座
２ｅ  放射状溝
２ｆ  シート部
３    インキ収容部
４    インキ
５    スポンジ
６    被筆記面
α    内縁の拡径角度
【図１】
2006281620.tif 000004
【図２】
2006281620.tif 000005